(57)【要約】【課題】本開示は、より正確に着弾位置や着弾速度などを検出することができるようにする標的システムに関する。【解決手段】標的装置は、ソフトエアガンにより発射されたＢＢ弾の標的となる標的板と、標的板の背面側に配置される背面板と、標的板および背面板に挟まれる空間を閉鎖する筐体と、標的板、背面板、および筐体により囲まれる閉鎖的な空間に配置され、ＢＢ弾が標的板に衝突する際に発生する衝撃音を検出する検出部とを備えて構成される。そして、標的板は、ＢＢ弾の反発を抑制する軟質の部材により形成され、ＢＢ弾の衝突を撓むことによって受け止める際に、開口に張った膜のような振動を可能に固定される。本技術は、例えば、ソフトエアガンにより発射されたＢＢ弾を回収可能な標的装置に適用できる。【選択図】図１
2019158335.tif 000002
【特許請求の範囲】
【請求項１】
飛翔物体の標的となり、平面で形成された標的板と、
前記標的板の背面側に配置される背面板と、
前記標的板および前記背面板に挟まれる空間を閉鎖する筐体と、
前記標的板、前記背面板、および前記筐体により囲まれる閉鎖的な空間に配置され、前記飛翔物体が前記標的板に衝突する際に発生する衝撃音を検出する検出部と
を有する標的装置を備え、
前記標的板は、前記飛翔物体の反発を抑制する軟質の部材により形成され、前記飛翔物体の衝突を撓むことによって受け止める際に、開口に張った膜のような振動を可能に固定される
標的システム。
【請求項２】
前記標的板は、前記筐体の前面側の開口部を覆うように固定される
請求項１に記載の標的システム。
【請求項３】
前記検出部が検出した衝撃音に対応して出力される音響信号に信号処理を施し、前記飛翔物体が前記標的板に着弾した着弾位置、或いは、前記飛翔物体が前記標的板に着弾した際の速度またはエネルギーのいずれかを算出するのに用いられる検出信号を出力する信号処理部と、
前記飛翔物体を発射するときの標的となる標的画像を表示するとともに、その標的画像に対する前記着弾位置に応じた前記飛翔物体の着弾を表す画像を表示する表示部と
をさらに備える請求項１に記載の標的システム。
【請求項４】
前記飛翔物体の着弾を表す画像は、前記着弾位置を示す着弾マークである
請求項３に記載の標的システム。
【請求項５】
前記表示部は、前記着弾位置を示す着弾マーク、或いは、前記速度または前記エネルギーを表示する
請求項３に記載の標的システム。
【請求項６】
前記表示部に替えて、前記標的画像を投影するとともに、その標的画像に対する前記着弾位置に応じた前記飛翔物体の着弾を表す画像を投影するプロジェクタ
をさらに備える請求項３に記載の標的システム。
【請求項７】
前記検出信号に基づいて、前記着弾位置、或いは、前記速度または前記エネルギーのいずれかを算出するソフトウェアを実行するノート型パーソナルコンピュータ
をさらに備え、
前記ノート型パーソナルコンピュータのモニタ部が前記標的装置の背面側に配置され、前記ノート型パーソナルコンピュータのキーボード部が前記標的装置の下方に配置されて構成される
請求項３に記載の標的システム。
【請求項８】
前記モニタ部が前記表示部として用いられ、透明な前記標的板および前記背面板を介して視認可能に前記標的画像が表示される
請求項７に記載の標的システム。
【請求項９】
前記筐体の左右の側面を構成する右側面板および左側面板が、前記標的板より前方にも設けられている
請求項１に記載の標的システム。
【請求項１０】
前記筐体の上面を構成する上面板が、前記標的板より前方にも設けられている
請求項９に記載の標的システム。
【請求項１１】
飛翔物体の標的となり、平面で形成された標的板と、
前記標的板の近傍で、前記飛翔物体を発射するときの標的となる標的画像を囲うように配置され、前記飛翔物体が前記標的板に衝突する際に発生する衝撃音を検出する検出部と
を有する標的装置と、
前記標的画像を投影するとともに、その標的画像に対する前記飛翔物体の着弾位置に応じた前記飛翔物体の着弾を表す画像を投影するプロジェクタと
を備え、
前記標的板は、前記飛翔物体の反発を抑制する軟質の部材により形成され、前記飛翔物体の衝突を撓むことによって受け止める際に、開口に張った膜のような振動を可能に固定される
標的システム。
【発明の詳細な説明】
【技術分野】
【０００１】
本開示は、標的システムに関し、特に、より正確に着弾位置や着弾速度などを検出することができるようにした標的システムに関する。
【背景技術】
【０００２】
従来より、プラスチック製の弾丸（以下、ＢＢ弾（Ball Bullet）と称する）を低圧の圧縮空気などで発射する機構を備えたトイガンであるソフトエアガンを使用して、ＢＢ弾が標的に着弾したときの着弾位置の精密さを競う射的競技が行われている。例えば、標的が描かれた標的紙にＢＢ弾を貫通させることにより、標的紙上の着弾位置を特定することができる。
【０００３】
また、特許文献１には、画像表示装置の画面を覆うように配置された透明シートの四隅にマイクロホンを取り付け、その透明シートに弾が当たったときの衝撃音をマイクロホンによって検出することで、透明シート上の着弾位置を算出する装置が開示されている。また、この装置では、弾を回収する機構が備えられていない。
【先行技術文献】
【特許文献】
【０００４】
【特許文献１】特開平８−１１０１９６号公報
【発明の概要】
【発明が解決しようとする課題】
【０００５】
しかしながら、上述したような特許文献１に開示されている装置は、透明シートの四隅に取り付けられたマイクロホンが、玩具の銃から発射される際の発射音を検知してしまい、着弾位置を正確に計算することは困難であった。即ち、この装置は、マイクロホンが透明シートの表側に配置される構成となっており、発射音の検知を防止するためにマイクロホンを密閉するような構成とすることができないため、マイクロホンが発射音を検知し易い構成となっていた。このため、玩具の銃から発射される際の発射音と、透明シートに弾が当たったときの衝撃音とを区別して処理することが困難であることより、発射音に基づいて着弾を検出するという誤動作が発生することがあった。
【０００６】
本開示は、このような状況に鑑みてなされたものであり、発射音などに基づく誤動作を防止して、より正確に着弾位置や着弾速度などを検出することができるようにするものである。
【課題を解決するための手段】
【０００７】
本開示の第１の側面の標的システムは、飛翔物体の標的となり、平面で形成された標的板と、前記標的板の背面側に配置される背面板と、前記標的板および前記背面板に挟まれる空間を閉鎖する筐体と、前記標的板、前記背面板、および前記筐体により囲まれる閉鎖的な空間に配置され、前記飛翔物体が前記標的板に衝突する際に発生する衝撃音を検出する検出部とを有する標的装置を備え、前記標的板は、前記飛翔物体の反発を抑制する軟質の部材により形成され、前記飛翔物体の衝突を撓むことによって受け止める際に、開口に張った膜のような振動を可能に固定される。
【０００８】
本開示の第１の側面においては、標的装置は、飛翔物体の標的となり、平面で形成された標的板と、標的板の背面側に配置される背面板と、標的板および背面板に挟まれる空間を閉鎖する筐体と、標的板、背面板、および筐体により囲まれる閉鎖的な空間に配置され、飛翔物体が標的板に衝突する際に発生する衝撃音を検出する検出部とを有し、標的板は、飛翔物体の反発を抑制する軟質の部材により形成され、その飛翔物体の衝突を撓むことによって受け止める際に、開口に張った膜のような振動を可能に固定されている。
【０００９】
本開示の第２の側面の標的システムは、飛翔物体の標的となり、平面で形成された標的板と、前記標的板の近傍で、前記飛翔物体を発射するときの標的となる標的画像を囲うように配置され、前記飛翔物体が前記標的板に衝突する際に発生する衝撃音を検出する検出部とを有する標的装置と、前記標的画像を投影するとともに、その標的画像に対する前記着弾位置に応じた前記飛翔物体の着弾を表す画像を投影するプロジェクタとを備え、前記標的板は、前記飛翔物体の反発を抑制する軟質の部材により形成され、前記飛翔物体の衝突を撓むことによって受け止める際に、開口に張った膜のような振動を可能に固定される。
【００１０】
本開示の第２の側面においては、標的装置は、飛翔物体の標的となり、平面で形成された標的板と、標的板の近傍で、飛翔物体を発射するときの標的となる標的画像を囲うように配置され、飛翔物体が前記標的板に衝突する際に発生する衝撃音を検出する検出部とを有し、プロジェクタにより、標的画像が投影されるとともに、その標的画像に対する着弾位置に応じた飛翔物体の着弾を表す画像が投影される。そして、標的板は、飛翔物体の反発を抑制する軟質の部材により形成され、その飛翔物体の衝突を撓むことによって受け止める際に、開口に張った膜のような振動を可能に固定されている。
【発明の効果】
【００１１】
本開示の第１および第２の側面によれば、発射音などに基づく誤動作を防止して、より正確に着弾位置や着弾速度などを検出することができる。
【図面の簡単な説明】
【００１２】
【図１】本技術を適用した標的装置の一実施の形態の構成例を示す斜視図である。
【図２】捕集板の構造について説明する図である。
【図３】標的装置の正面図である。
【図４】標的装置の左側面図である。
【図５】標的装置の右側面図である。
【図６】標的装置の図５におけるＡ−Ａ矢視図である。
【図７】音響センサについて説明する図である。
【図８】排出口ノズルについて説明する図である。
【図９】標的装置を備えた標的システムの第１の構成例を示す図である。
【図１０】標的装置を備えた標的システムの第２の構成例を示す図である。
【図１１】標的システムにおける着弾位置の検出結果を示す図である。
【発明を実施するための形態】
【００１３】
以下、本技術を適用した具体的な実施の形態について、図面を参照しながら詳細に説明する。
【００１４】
図１は、本技術を適用した標的装置の一実施の形態の構成例を示す斜視図である。
【００１５】
図１に示されている標的装置１１は、ソフトエアガンにより標的装置１１に向かって発射されたＢＢ弾１２を回収する回収機構、および、ＢＢ弾１２が着弾した際の着弾位置や着弾弾速などを検出するための検出信号を出力する機能を備える。図１では、ＢＢ弾１２の経路が一点鎖線の矢印で示されており、標的装置１１に対してＢＢ弾１２が向かってくる側（図１の右下側）を、標的装置１１の前面側とし、その反対側（図１の左上側）を標的装置１１の背面側とする。
【００１６】
また、標的装置１１の背面側には、ＢＢ弾１２を発射するときの標的となる標的紙が配置される他、例えば、標的紙と同様の標的画像を表示する表示部（例えば、後述する図９の外部モニタ１１２や、図１０のモニタ部１２２など）が配置される。そして、標的装置１１越しに標的に向かって発射されたＢＢ弾１２は、標的装置１１の内部で反射したり転がったりした後、標的装置１１を正面から見て左方に配置されている回収ケース１３に回収される。
【００１７】
図１に示すように、標的装置１１は、筐体２１、前面板２２、背面板２３、標的板２４、捕集板２５、排出口ノズル２６、音響センサ２７−１乃至２７−４、および信号処理基板２８を備えて構成される。
【００１８】
筐体２１は、上面板２１ａ、右側面板２１ｂ、左側面板２１ｃ、および下面板２１ｄを組み付けることで上下面および左右側面が構成され、前面および背面が開口した矩形の筒形状となっている。上面板２１ａは、筐体２１の上側の面を構成する板状の部材であり、右側面板２１ｂは、筐体２１の右側の面を構成する板状の部材である。また、左側面板２１ｃは、筐体２１の左側の面を構成する板状の部材であり、下面板２１ｄは、筐体２１の下側の面を構成する板状の部材である。このように、筐体２１が、上面板２１ａ、右側面板２１ｂ、左側面板２１ｃ、および下面板２１ｄを組み付ける構造とすることで、例えば、標的装置１１を省スペースで保管することができる。
【００１９】
前面板２２は、筐体２１の前方の開口部における下辺近傍を覆うように、筐体２１に取り付けられる板状の部材である。
【００２０】
背面板２３は、筐体２１の後方の開口部の全面を覆うように、筐体２１に取り付けられる透明な板状の部材である。
【００２１】
標的板２４は、例えば、標的装置１１の背面側に配置される標的に向かってソフトエアガンにより発射されたＢＢ弾１２の衝突を受け止める透明な板状の部材である。例えば、標的板２４には、衝撃に対して所定の可塑性を有する材質（復元の遅い材質）が用いられ、具体的には、厚み2.0ｍｍの軟質の塩化ビニル樹脂が用いられる。このような材質を用いることで、標的板２４がＢＢ弾１２の衝突を受け止める際、ゆっくりと元の形状に戻るため、ＢＢ弾１２の反発を抑制することができる。そして、標的板２４は、全体的に平坦となるように、即ち、撓みが生じないように、上下端および左右端が筐体２１の内面に対して固定される。また、標的板２４は、筐体２１の上側から下側に向かうに従い正面側から背面側に向かう傾斜角度（例えば、図２のＡに示すように垂直に対して前方に10°程度の傾斜角度）を有するように、筐体２１の内側に配置される。
【００２２】
捕集板２５は、筐体２１の内部であって、標的板２４の前面側の空間であり、かつ、筐体２１の前方の開口部の下端（前面板２２の上端面）よりも下方の空間に配置され、全体的に、背面側に向かって下るとともに、左面側に向かって下るような傾斜を有するように固定される。
【００２３】
排出口ノズル２６は、筐体２１の左側面板２１ｃに形成される排出口（後述する図２のＡの排出口３４）を覆うように、左側面板２１ｃの外面に取り付けられ、排出口を通過したＢＢ弾１２を回収ケース１３に向かって案内する。
【００２４】
音響センサ２７−１乃至２７−４は、例えば、ＢＢ弾１２が標的板２４に着弾したときに、標的板２４が振動することなどによって発生する衝撃音を検出し、検出した衝撃音の振幅の変化に従った音響信号を信号処理基板２８に供給する。また、音響センサ２７−１乃至２７−４は、図１に示すように、標的板２４の背面側の近傍であって、それぞれ標的板２４の四隅に近い位置となるように、筐体２１の内側に固定される。例えば、音響センサ２７−１は、左側面板２１ｃの内側を向く面の上端近傍に配置され、音響センサ２７−２は、右側面板２１ｂの内側を向く面の上端近傍に配置される。また、音響センサ２７−３は、左側面板２１ｃの内側を向く面の下端近傍に配置され、音響センサ２７−４は、右側面板２１ｂの内側を向く面の下端近傍に配置される。
【００２５】
ここで、音響センサ２７−１乃至２７−４が配置される標的板２４の背面側に設けられる空間２９は、標的板２４により前面側が閉鎖され、筐体２１により上下および左右が閉鎖され、背面板２３により背面側が閉鎖されている。即ち、音響センサ２７−１乃至２７−４は、筐体２１、背面板２３、および標的板２４によって外部から閉鎖されている閉鎖的な空間２９に配置される。
【００２６】
信号処理基板２８は、下面板２１ｄと捕集板２５との間の空間に配置される。そして、信号処理基板２８は、ＢＢ弾１２が標的板２４に着弾したときに音響センサ２７−１乃至２７−４から出力される音響信号に対して信号処理を施し、ＢＢ弾１２が標的板２４に着弾した際の着弾位置や着弾弾速などを検出するための検出信号を出力する。
【００２７】
例えば、信号処理基板２８は、音響信号を増幅して全波整流し、その振幅のピーク値を保持したピークホールド信号、および、ピークホールド信号を積分して得られる信号が基準値以上となったタイミングを示す衝撃音検出時刻信号を、検出信号として出力する。そして、信号処理基板２８は、後述する図９のパーソナルコンピュータ１１１、または、図１０のノート型パーソナルコンピュータ１２１に、検出信号を供給する。
【００２８】
以上のように標的装置１１は構成されており、標的装置１１に向かって発射されたＢＢ弾１２は、図１において一点鎖線で示されるように、標的板２４に衝突する。この際、標的板２４は、上述したように衝撃に対して所定の可塑性を有しており、標的板２４の衝撃力に応じた面積が着弾点を中心に極浅いすり鉢状に凹むことによってＢＢ弾１２の衝突による衝撃が吸収される。以下、適宜、標的板２４および捕集板２５の衝撃吸収材３３（後述する図２参照）が、このように凹むことを撓むと称する。このように標的板２４により衝突による衝撃が吸収されたＢＢ弾１２は、捕集板２５に向かって落下し、捕集板２５の傾斜に従って標的装置１１内で背面側および左面側に向かって転がった後、左側面板２１ｃの排出口から排出されて、排出口ノズル２６を通過して回収ケース１３に回収される。
【００２９】
このように、標的装置１１は、標的板２４がＢＢ弾１２の衝撃を吸収することができ、捕集板２５に向かってＢＢ弾１２が落下するように構成されているので、ＢＢ弾１２が筐体２１の外部に飛び出ることなく、確実に、ＢＢ弾１２を回収することができる。
【００３０】
また、標的装置１１は、上述したように、音響センサ２７−１乃至２７−４が閉鎖的な空間２９に配置されており、閉鎖的な空間２９における音響環境は定常的なものとなる。このため、標的装置１１では、音響センサ２７−１乃至２７−４が、より再現性の高い衝撃音を検出すること、即ち、ＢＢ弾１２の着弾位置および着弾速度が同一であれば、ほぼ同一の衝撃音を検出することができる。
【００３１】
つまり、標的装置１１は、閉鎖的な空間２９に対して、後方の開口部が背面板２３により覆われ、かつ、前方の開口部が標的板２４により覆われる構成となっている。これにより標的装置１１では、開口に張った膜の振動によって音を出す楽器（例えば、太鼓やティンパニなど）のように、ＢＢ弾１２が標的板２４に衝突する際の振動によって再現性のある衝撃音が発生する。
【００３２】
従って、例えば、音響センサ２７−１乃至２７−４は、標的板２４の所定箇所にＢＢ弾１２が着弾するとき、同一の着弾条件（着弾位置、着弾速度、および弾重量）に対して常に、同一の衝撃音を検出することができる。これにより、音響センサ２７−１乃至２７−４から出力される音響信号に基づいて、ＢＢ弾１２が着弾した標的板２４上の位置である着弾位置や、標的板２４に着弾した際のＢＢ弾１２の速度である着弾弾速（または、標的板２４に着弾した際のＢＢ弾１２のエネルギー）などを、非常に正確に検出することができる。
【００３３】
さらに、標的装置１１では、音響センサ２７−１乃至２７−４が閉鎖的な空間２９に配置されることにより、例えば、ソフトエアガンによりＢＢ弾１２を発射する際の発射音が音響センサ２７−１乃至２７−４により検出されることを回避することができる。例えば、音響センサ２７−１乃至２７−４が開放的な空間に配置されている場合には、音響センサ２７−１乃至２７−４によりソフトエアガンの発射音が検出されてしまう。この場合、音響センサ２７−１乃至２７−４から出力される音響信号から発射音を除外する処理が必要であり、着弾位置や着弾速度などを正確に算出することは困難であった。
【００３４】
これに対し、標的装置１１は、音響センサ２７−１乃至２７−４がソフトエアガンの発射音を検出し難い構成となっていることより、音響センサ２７−１乃至２７−４から出力される音響信号から発射音を除外する処理が不要になる。従って、音響センサ２７−１乃至２７−４から出力される音響信号に基づいて、ＢＢ弾１２の着弾位置や着弾速度などを正確に算出することができる。
【００３５】
また、標的装置１１は、楽器の膜のように機能する標的板２４を用いることで、例えば、より剛性の高いポリカーボネート板やアクリル板などを標的板に利用した構成と比較して、音響センサ２７−１乃至２７−４が正確に衝撃音を検出することができる。即ち、ポリカーボネート板やアクリル板などを標的板に利用した構成では、標的板自身を伝達する振動が検出されることがあり、衝撃音の正確な検出が困難になると想定される。これに対し、標的装置１１では、標的板２４自身を伝達する振動は減衰してしまうため、音響センサ２７−１乃至２７−４は、標的板２４の振動によって空気中を伝達する衝撃音を正確に検出することができる。
【００３６】
さらに、標的装置１１は、より剛性の高いポリカーボネート板やアクリル板などを標的板に利用した構成と比較して衝撃音を低減させる（静かになる）ことができるという効果を奏することができる。ところで、衝撃音が低減することによって発射音が相対的に大きくなる結果、発射音に基づく誤動作が増加することが懸念される。しかしながら、標的装置１１は、上述したように、音響センサ２７−１乃至２７−４が閉鎖的な空間２９に配置される構成となっていることより、発射音などの外乱を遮断する効果に加えて、衝撃音が閉鎖的な空間２９に閉じ込められることによって３倍に上昇した音圧を計測する効果を得ることができる。これにより、例えば、発射音などの外乱に基づく誤動作を防止する外乱遮断効果について、特許文献１に開示されている装置と比較して概算すると、音響センサ２７−１乃至２７−４が配置される空間を閉鎖的にすることで３倍程度、その閉鎖的な空間に衝撃音を閉じ込めることによる音圧上昇で３倍程度の外乱遮断効果があると想定され、これらを総合的にみて９倍程度の外乱遮断効果を期待することができる。また、音響センサ２７−１乃至２７−４が閉鎖的な空間２９に配置される構成とすることで、ＢＢ弾１２が音響センサ２７−１乃至２７−４に衝突することがなく、そのような衝突によって音響センサ２７−１乃至２７−４が故障することも回避される。
【００３７】
また、標的装置１１では、閉鎖的な空間２９に音響センサ２７−１乃至２７−４を配置することで、ソフトエアガンの発射音以外にも、周囲の音による外乱を排除することができる。例えば、筐体２１から背面板２３を取り外して、開放的な空間に音響センサ２７−１乃至２７−４を配置した構成と比較して、閉鎖的な空間２９に音響センサ２７−１乃至２７−４を配置した構成では、音響センサ２７−１乃至２７−４が衝撃音を測定する測定感度が向上（例えば、約３倍程度）することになる。これにより、例えば、ゲインを低下させることに伴ってノイズ耐性が向上することや、着弾位置との距離による音響センサ２７−１乃至２７−４ごとの検出値の差が縮小することになり、音響信号に基づく測定精度を向上させることができる。なお、空間２９は、外部からの音をある程度遮断することができる程度であればよく、外部と完全に遮断された密閉空間とは異なり、多少の隙間があってもよい。もちろん、空間２９が外部から完全に遮断されている状態であれば、より好適である。
【００３８】
ところで、標的板２４で反射した後に捕集板２５に向かって落下するＢＢ弾１２は、捕集板２５において、ある程度の跳ね返りがあることが想定されるので、捕集板２５は、ＢＢ弾１２の跳ね返りを抑制するように構成されている。
【００３９】
図２を参照して、捕集板２５の構造について説明する。
【００４０】
図２には、標的装置１１の下部を拡大した概略的な構成例が示されている。図２のＡは、標的装置１１を左側から見た構成例であり、図２のＢは、標的装置１１を前側から見た構成例であり、図２のＣは、標的装置１１を右側から見た構成例である。
【００４１】
図２のＡおよび図２のＣに示すように、捕集板２５は、前面板２２から背面板２３に向かって傾斜角度6.0°で下る傾斜部分を有し、捕集板２５の後端近傍の所定範囲（例えば、後端から10ｍｍの範囲）の部分は、前後に向かう傾斜のない形状となっている。つまり、捕集板２５は、前方側の傾斜部分が、後端近傍の所定範囲の部分に対して角度6.0°となるような曲げ加工が施されて形成される。また、図２のＢに示すように、捕集板２５は、右側面板２１ｂから左側面板２１ｃに向かって傾斜角度2.7°で下る傾斜となるように、筐体２１に固定される。このように、捕集板２５は、後端近傍に前後に向かう傾斜のない部分を設けることによって、右側面板２１ｂから左側面板２１ｃに向かって、ＢＢ弾１２が良好に転がることができるように形成される。
【００４２】
そして、捕集板２５は、このような曲げ加工が施された板部材３１に、材質の異なる衝撃吸収材３２および３３が積層されて構成される。例えば、板部材３１には、厚み0.6ｍｍの鉄製の薄板が用いられ、衝撃吸収材３２には、厚み3.0ｍｍのウレタン製のスポンジが用いられ、衝撃吸収材３３には、厚み2.0ｍｍの軟質の塩化ビニル樹脂が用いられる。このように、例えば、板部材３１および衝撃吸収材３３の間に、ウレタン製のスポンジが用いられる衝撃吸収材３２を配置することで、板部材３１に対して衝撃吸収材３３が浮いている状態となり、ＢＢ弾１２が落下してくるエネルギーを、衝撃吸収材３３が撓むことで吸収することができる。具体的には、厚み2.0ｍｍの軟質の塩化ビニル樹脂（硬度♯570）の衝撃吸収材３３に0.3J程度までのＢＢ弾１２が着弾したときの衝撃吸収材３３に発生する凹みは３ｍｍ以内であり、標的板２４への衝突でエネルギーが減衰したＢＢ弾１２のエネルギーが0.3J以下になることは確実であるから、捕集板２５がＢＢ弾１２の衝撃を十分に吸収することができることが確認された。
【００４３】
即ち、このような積層構造とすることで、捕集板２５は、標的板２４で反射して落下するＢＢ弾１２のエネルギーを吸収し、ＢＢ弾１２の跳ね返りを抑制することができるので、ＢＢ弾１２は、捕集板２５の傾斜に従って転がることになる。また、捕集板２５が背面側に向かって下るように傾斜していることにより、ＢＢ弾１２が捕集板２５で跳ね返ったとしても、ＢＢ弾１２は背面側に向かうことになり、筐体２１の前方の開口部から外部に飛び出ることは防止される。なお、標的板２４での衝突でエネルギーが減衰したＢＢ弾１２にも回転は残ることより、その回転によってＢＢ弾１２が斜め下に跳んだり、捕集板２５の上を激しく転げまわったりすることがある。これに対し、捕集板２５の周囲は、右側面板２１ｂ、左側面板２１ｃ、前面板２２、および標的板２４により全て囲まれていることより、捕集板２５の上を転げまわるＢＢ弾１２が前方の開口部から外に飛び出すことは防止される。
【００４４】
従って、標的装置１１は、筐体２１内の限られた空間で、ＢＢ弾１２を確実に回収することができる。これにより、標的装置１１を、小型化することができ、製造コストの低減を図ることができる。例えば、標的装置１１の筐体２１は、正面側から見て、高さ25.3ｃｍおよび幅38.6ｃｍ程度のサイズで設計される。また、標的装置１１は、前面板２２の高さを4.3ｃｍ程度と低く抑えることができ、正面から見て前面板２２により隠れる領域において、ＢＢ弾１２を捕集することができるとともに、信号処理基板２８を配置することができる。このようにＢＢ弾１２の捕集に要する領域（捕集領域）の高さを低く抑えることにより、例えば、図１０を参照して後述するようなノート型パーソナルコンピュータ１２１を利用した使用方法を可能とすることができる。
【００４５】
また、図２のＡおよび図２のＢに示すように、左側面板２１ｃには、ＢＢ弾１２を外部に排出するための開口部３４が形成されている。開口部３４は、捕集板２５の厚みを考慮して開口され、捕集板２５の後端部分の左端が下面板２１ｄに接した状態で、開口部３４の下側の端部が捕集板２５の厚みだけ下面板２１ｄから高くなる位置に形成される。また、開口部３４の背面側の端部は、標的板２４の正面側を向く面と略一致するように形成される。
【００４６】
このように開口部３４は形成されており、捕集板２５の傾斜に従って、背面側および左面側に向かって転がったＢＢ弾１２は、開口部３４から排出され、図１を参照して上述したように、排出口ノズル２６を通過して回収ケース１３に回収される。
【００４７】
なお、図２のＡおよび図２のＣに示すように、板部材３１の前面側の端部は、下方に向かって曲げられる曲げ加工が施されており、この曲げ形状によって板部材３１に撓みが発生することが防止されている。また、図２のＡに示すように、板部材３１の左下後端は、下面板２１ｄに当接するように配置され、標的板２４は、垂直に対して傾斜角度10°となるように固定される。
【００４８】
次に、図３乃至図６を参照して、標的装置１１の詳細な構成について説明する。
【００４９】
図３には、標的装置１１の正面図が示されており、図４には、標的装置１１の左側面図が示されており、図５には、標的装置１１の右側面図が示されており、図６には、図５におけるＡ−Ａ矢視図が示されている。
【００５０】
図３乃至図６に示すように、標的装置１１では、標的板２４の四辺を固定する固定部材４１ａ乃至４１ｄを用いて、筐体２１の内部に標的板２４が平面的に取り付けられる。
【００５１】
固定部材４１ａは、上面板２１ａの内面に左右方向に延在するように取り付けられ、固定部材４１ｂは、右側面板２１ｂの内面に標的板２４の傾斜角度に沿って延在するように取り付けられる。固定部材４１ｃは、左側面板２１ｃの内面に標的板２４の傾斜角度に沿って延在するように取り付けられ、固定部材４１ｄは、下面板２１ｄの内面に左右方向に延在するように取り付けられる。
【００５２】
例えば、図５に示すように、固定部材４１ｂには２箇所のネジ穴が形成されており、固定部材４１ｂは、右側面板２１ｂの外側からネジを利用して、右側面板２１ｂの内面に対して取り付けられる。なお、図５に示すように、右側面板２１ｂには、信号処理基板２８と接続される信号ケーブルを接続するためのコネクタ４３が配置されている。
【００５３】
また、図４に示すように、固定部材４１ｃには２箇所のネジ穴が形成されており、固定部材４１ｃは、左側面板２１ｃの外側からネジを利用して、左側面板２１ｃの内面に対して取り付けられる。同様に、固定部材４１ａおよび４１ｄにもネジ穴（図示せず）が形成されており、それぞれ上面板２１ａおよび下面板２１ｄの外側からネジを利用して取り付けられる。
【００５４】
そして、標的板２４の上辺は、固定部材４１ａに対して筐体２１の前方からネジを利用して固定される。同様に、標的板２４の右辺は、固定部材４１ｂに対して筐体２１の前方からネジを利用して固定され、標的板２４の左辺は、固定部材４１ｃに対して筐体２１の前方からネジを利用して固定される。また、標的板２４の下辺は、固定部材４１ｄに対して筐体２１の後方からネジを利用して固定される。
【００５５】
また、標的装置１１では、上面板２１ａの前端部分が内側に向かって傾斜面を形成するように折り曲げられることによって、上面板２１ａの前端に折り曲げ部４２ａが形成される。上面板２１ａの折り曲げ部４２ａは、例えば、標的装置１１を前方から見たときに固定部材４１ａが隠れるように形成される。
【００５６】
同様に、右側面板２１ｂの前端部分が内側に向かって傾斜面を形成するように折り曲げられることによって、前方から見て固定部材４１ｂが隠れるように、右側面板２１ｂの前端に折り曲げ部４２ｂが形成される。また、左側面板２１ｃの前端部分が内側に向かって傾斜面を形成するように折り曲げられることによって、前方から見て固定部材４１ｃが隠れるように、左側面板２１ｃの前端に折り曲げ部４２ｃが形成される。
【００５７】
このように、標的装置１１では、筐体２１の前方の開口部の上側および左右側に、折り曲げ部４２ａ乃至４２ｃが形成されることによって、固定部材４１ａ乃至４１ｃに対して直接的にＢＢ弾１２が衝突することを回避することができる。また、折り曲げ部４２ａ乃至４２ｃは、筐体２１の内側に向かって傾斜面を形成しており、折り曲げ部４２ａ乃至４２ｃにＢＢ弾１２が衝突した場合、筐体２１の内部に向かって反射することになり、そのＢＢ弾１２を標的装置１１において回収することができる。
【００５８】
以上のように、標的装置１１は、標的板２４の四辺が固定部材４１ａ乃至４１ｄにより固定され、筐体２１内の空間に標的板２４が張られるように配置されることで、標的板２４にＢＢ弾１２が衝突すると、標的板２４が撓むような構造となっている。これにより、標的装置１１では、ＢＢ弾１２の運動エネルギーを標的板２４により有効に吸収することができる。さらに、上述したように、標的板２４の前方側の下方に捕集板２５を配置することで、標的装置１１は、最小のスペースで確実にＢＢ弾１２を回収することができる。
【００５９】
次に、図７を参照して、音響センサ２７について説明する。
【００６０】
図７に示すように、音響センサ２７は、基板５１の一端に固定されており、基板５１の他端には、信号処理基板２８に音響信号を伝送するケーブル（図示せず）を接続するためのコネクタ５２が固定されている。そして、基板５１は、スペーサ５４を介して筐体２１に対し、２個のネジ５５−１および５５−２と２個のナット５６−１および５６−２とを利用して固定される。
【００６１】
また、音響センサ２７に対して、所定の厚みの膜により構成される感度調整用減衰層５３が取り付けられている。音響センサ２７に感度調整用減衰層５３を取り付けることにより、音響センサ２７に届く衝撃音を減衰することで、音響センサ２７の感度を調整することができる。
【００６２】
従って、標的装置１１では、ＢＢ弾１２が標的板２４に着弾する際に発生する衝撃音の音量が、音響センサ２７により検出可能な音量の範囲内となるように、感度調整用減衰層５３の厚みを調整することにより、音響センサ２７が、衝撃音を確実に検出することができる。例えば、標的板２４の中央にＢＢ弾１２が着弾したときの衝撃音の平均レベルが、音響センサ２７により検出可能な音量の範囲内の中央になるように、感度調整用減衰層５３の厚みを調整することで、より良好に衝撃音を検出することができる。これにより、標的装置１１では、音響センサ２７により確実に衝撃音を検出することができ、着弾位置や着弾速度などをより正確に検出可能な検出信号を出力することができる。
【００６３】
次に、図８を参照して、排出口ノズル２６について説明する。
【００６４】
排出口ノズル２６は、例えば、厚み0.6ｍｍの鉄板が折り曲げられて形成され、左側面板２１ｃに形成される開口部３４と同程度の内寸法を有する矩形の筒形状に形成される。また、排出口ノズル２６が左側面板２１ｃに取り付けられる側の端部は、排出口ノズル２６の長さ方向に向かって開口しており、反対側となる端部には、先端に向かうに従い下方に傾斜する傾斜面２６ａが形成され、その端部側の排出口ノズル２６の下面に開口部２６ｂが形成されている。
【００６５】
従って、左側面板２１ｃの開口部３４を通過したＢＢ弾１２は、図８の一点鎖線で示されるように、筒形状の排出口ノズル２６内を通過して、傾斜面２６ａにより下方に向かって反射して開口部２６ｂから排出される。
【００６６】
このように、標的装置１１では、排出口ノズル２６を設けることにより、例えば、開口部３４を通過するまでにＢＢ弾１２の勢いが十分に減速されていなくても、傾斜面２６ａに反射して下方に向かうので、回収ケース１３によりＢＢ弾１２を確実に回収することができる。
【００６７】
次に、図９は、標的装置１１を備えた標的システムの第１の構成例を示す図である。
【００６８】
図９に示すように、標的システム１０１は、パーソナルコンピュータ１１１と同様の画面を表示する外部モニタ１１２が、標的装置１１の背面側に配置されて構成される。また、標的装置１１の右側面板２１ｂに配置されるコネクタ４３に信号ケーブル１１３が接続可能とされ、信号ケーブル１１３を介して、パーソナルコンピュータ１１１および標的装置１１が接続される。また、パーソナルコンピュータ１１１および外部モニタ１１２は、映像ケーブル１１４を介して接続される。
【００６９】
また、標的装置１１には、標的装置１１の配置位置を高さ方向に調整可能なアジャスタを有する複数の脚部１１６が取り付けられており、標的装置１１は、複数の脚部１１６により、外部モニタ１１２の画面の位置に合わせた高さとなるように配置される。このように、標的装置１１は、複数の脚部１１６により、外部モニタ１１２が載置される平面から持ち上げられた状態とされており、標的装置１１の下方の空間にＢＢ弾１２が入り込まないように保護する保護板１１７が標的装置１１の前方の脚部１１６に取り付けられる。
【００７０】
そして、外部モニタ１１２には、ＢＢ弾１２を発射するときの標的となる標的画像１１５が表示され、透明な標的板２４および背面板２３を介して、標的装置１１の正面側から標的画像１１５が視認可能とされている。
【００７１】
なお、図９の表示例では、外部モニタ１１２には、標的画像１１５の右側に操作や得点などの射撃結果が掲載されるスコアボードが表示されており、ユーザは、射撃中に視線を大きく外すことなく射撃結果を確認することができ、例えば、パーソナルコンピュータ１１１で射撃結果を確認するよりも利便性を向上させることができる。なお、例えば、外部モニタ１１２においてユーザが不必要なものを非表示にしたり、標的画像１１５を外部モニタ１１２の全体に表示することができる。また、小型の標的画像が移動して表示されるムービングターゲットでは、できるだけ広い範囲を標的画像が動き回るように、外部モニタ１１２の画面全体を標的画像が移動する方が好適である。
【００７２】
また、標的システム１０１では、標的装置１１の音響センサ２７−１乃至２７−４から出力される音響信号が信号処理基板２８により信号処理が施されて検出信号としてパーソナルコンピュータ１１１に供給される。パーソナルコンピュータ１１１は、射的用のアプリケーションソフトウェアを実行することにより、信号処理基板２８から供給される検出信号に基づいた演算を行う。例えば、パーソナルコンピュータ１１１は、ＢＢ弾１２が着弾した標的板２４上の位置である着弾位置や、標的板２４に着弾した際のＢＢ弾１２の速度である着弾弾速、標的板２４に着弾した際のＢＢ弾１２のエネルギーなどを算出する。
【００７３】
例えば、パーソナルコンピュータ１１１は、信号処理基板２８から検出信号として供給される衝撃音検出時刻信号に基づいて、ＢＢ弾が標的板２４に着弾した着弾位置を算出する。また、パーソナルコンピュータ１１１は、信号処理基板２８から検出信号として供給されるピークホールド信号に基づいて、ＢＢ弾が標的板２４に着弾した際の弾速およびエネルギーを算出する。そして、パーソナルコンピュータ１１１は、外部モニタ１１２に表示される標的画像１１５における着弾位置に対応して、ＢＢ弾１２が着弾した箇所を示す着弾マーク（図１１参照）を、着弾を検出するたびに表示する。また、パーソナルコンピュータ１１１は、着弾位置に基づいた得点、および、ＢＢ弾１２の着弾弾速やエネルギーなどを外部モニタ１１２の標的画像１１５の右側のスコアボードに表示する。また、外部モニタ１１２に表示されるスコアボードには、経過時間および得点だけが表示されるようにしてもよい。
【００７４】
このように、標的システム１０１では、射的を行うたびに標的画像１１５に着弾マークが表示されるので、ユーザは、よりリアルで臨場感のある射的を体験することができ、次の射的の照準修正を自然に行うことができる。また、標的システム１０１では、着弾位置に基づいた得点、および、ＢＢ弾１２の着弾弾速やエネルギーなどを外部モニタ１１２に表示することで、よりユーザの利便性を高めることができる。なお、着弾弾速およびエネルギーのいずれか一方だけを求めて表示されるようにしてもよい。
【００７５】
次に、図１０は、標的装置１１を備えた標的システムの第２の構成例を示す図である。
【００７６】
図１０に示すように、標的システム１０１Ａは、ノート型パーソナルコンピュータ１２１のモニタ部１２２が標的装置１１の背面側に配置され、ノート型パーソナルコンピュータ１２１のキーボード部１２３が標的装置１１の下方に配置されて構成される。また、標的装置１１の右側面板２１ｂに配置されるコネクタ４３に信号ケーブル（図示せず）が接続可能とされ、その信号ケーブルを介して、ノート型パーソナルコンピュータ１２１および標的装置１１が接続される。また、標的システム１０１Ａでは、ノート型パーソナルコンピュータ１２１のキーボード部１２３の前方に保護板１１７を配置することができるように、前方に延長した脚部１１８が用いられる。
【００７７】
そして、標的システム１０１Ａにおいても、図９の標的システム１０１と同様に、ノート型パーソナルコンピュータ１２１が射的用のアプリケーションソフトウェアを実行することにより、信号処理基板２８から供給される検出信号に基づいた演算を行うことができる。そして、ノート型パーソナルコンピュータ１２１のモニタ部１２２に、標的画像１１５における着弾位置に着弾マークを表示したり、着弾位置に基づく得点を表示したり、ＢＢ弾１２の着弾弾速やエネルギーなどを表示したりすることができる。
【００７８】
なお、図１０の表示例では、モニタ部１２２には、標的画像１１５の右側に操作や得点などの射撃結果が掲載されるスコアボードが表示されており、例えば、スコアボードを非表示にして、標的画像１１５をモニタ部１２２の全体に表示することができる。この場合、操作や得点確認に困ることを回避するために、スコアボードのみを独立したサブウインドウで表示させることができる。例えば、サブモニタや、タブレットＰＣ、スマートフォンなどにスコアボードを表示させることで、ユーザは、手元で射撃結果を確認することができ、より利便性を向上させることができる。
【００７９】
また、例えば、標的画像１１５がモニタ部１２２の半分以上を占めるように大きく表示されていることより、ワイヤレスマウスなどを利用して、操作可能距離（例えば、１０ｍ程度）以内で標的システム１０１Ａから離れた位置から操作を行うことができる。具体的には、標的画像１１５を左クリックする操作を行うと競技スタートとし、競技スタートした状態で標的画像１１５を再び左クリックすると競技停止とするような操作を採用することができる。また、標的画像１１５を右クリックすると標的画像１１５をモニタ部１２２の全画面表示とし、全画面表示となっている状態で標的画像１１５を再び右クリックすると標的画像１１５を縮小してスコアボードなどを表示する状態（図１０に示すような表示状態）とするような操作を採用することができる。または、競技スタートを待機している状態でＢＢ弾１２が標的板２４に衝突したことが検出されると、競技スタートとするような操作を採用してもよい。
【００８０】
以上のように構成される標的システム１０１および１０１Ａにおいて、標的装置１１の閉鎖的な空間２９に音響センサ２７−１乃至２７−４が配置されている。従って、パーソナルコンピュータ１１１およびノート型パーソナルコンピュータ１２１は、標的装置１１の信号処理基板２８から出力される検出信号を用いて、より正確に、ＢＢ弾１２の着弾位置や着弾速度などを算出することができる。
【００８１】
なお、本実施の形態では、標的装置１１の背面側に、図９の外部モニタ１１２や図１０のモニタ部１２２などが配置される構成について説明したが、例えば、位置算出や表示などの処理を信号処理基板２８でも可能とし、標的装置１１をパーソナルコンピュータ１１１などと接続しなくても単独で動作可能として、標的装置１１に、液晶パネルなどの薄型の表示部を内装または固定してもよく、その表示部を、背面板２３の代わりに筐体２１に装着する構成とすることができる。あるいは、背面板２３を設けた状態で、表示部を背面板２３の背後に固定する構成としてもよい。さらに、例えば、標的装置１１から背面板２３を取り外して、標的装置１１の背面部に接するように表示部を配置することで、その表示部を利用して閉鎖的な空間２９を構成するようにしてもよい。このように、標的装置１１に対する表示部の設置方法は、上述した実施の形態に限定されることはない。
【００８２】
また、標的装置１１は、タブレット型のパーソナルコンピュータを筐体２１の背面側に設置（内装または装着）する構成としてもよく、そのタブレット型のパーソナルコンピュータに、標的画像１１５およびスコアボードを表示することができる。この場合、例えば、図９に示したようなパーソナルコンピュータ１１１との接続を必要とする構成ではなく、標的装置１１単独で動作可能な標的システムを実現することができる。
【００８３】
そして、単独で動作可能な構成とした標的装置１１では、ユーザは、スマートフォンや眼鏡型端末、専用のリモートコントローラ、パーソナルコンピュータなどを使用し、無線LAN（Local Area Network）等を利用してワイヤレスで操作を行うことができる。これにより、標的装置１１を利用する際、より利便性を向上させることができる。
【００８４】
また、標的システム１０１では、着弾点、着弾速度、またはエネルギーの少なくとも一つに応じて、任意の音声（例えば、着弾音、破壊音、悲鳴、楽曲など）を出力するスピーカなどの出力部を備えることができる。さらに、それらの音声は、着弾速度またはエネルギーの少なくとも一方に基づく音量で出力部から出力することができる。これにより、標的システム１０１を用いた射撃に対する遊戯性を高めることができる。また、着弾点に応じた得点を音声により読み上げることができる。これにより、ユーザは、標的画像１１５から目を離すことなく、得られた得点を知ることができる。
【００８５】
さらに、標的画像１１５を表示する表示方法についても、液晶パネルのような表示部に限定されることはない。例えば、背面板２３または標的板２４に不透明な板を用いたり、白色等の塗料を塗布したり、白色等の布等を貼ったり或いは背面板２３の前や後に配置したりして、プロジェクタにより標的画像１１５を投影する方法を採用することができる。
【００８６】
ここで、図１１を参照して、標的システム１０１および１０１Ａにおける着弾位置の検出結果について説明する。
【００８７】
図１１のＡには、筐体２１に背面板２３が固定されて閉鎖的な空間２９に音響センサ２７−１乃至２７−４が配置された状態における着弾位置の算出結果を表す標的画像１１５Ａが示されている。図１１のＢには、筐体２１から背面板２３が外され、例えば、筐体２１から20ｍｍ離れた位置に背面板２３が配置された状態とされた開放的な空間に音響センサ２７−１乃至２７−４が配置された状態における着弾位置の検出結果を表す標的画像１１５Ｂが示されている。
【００８８】
図１１のＡおよび図１１のＢは、例えば、所定の高さを維持するようにソフトエアガンを固定し、標的装置１１に対して左側から右側に順番に一定間隔（例えば、１ｃｍ間隔）で順次、標的装置１１に向かってＢＢ弾１２を発射したときの着弾位置が示されている。例えば、図１１のＡの表示例では、１番目の着弾位置から３３番目までの着弾位置が、それぞれの数字を付した丸印により着弾マークにより示されている。また、図１１のＢの表示例では、４番目の着弾位置から２８番目までの着弾位置が、それぞれの数字を付した丸印により着弾マークにより示されている。
【００８９】
図１１のＡに示すように、閉鎖的な空間２９に音響センサ２７−１乃至２７−４が配置された状態では、標的画像１１５Ａの全体に亘って着弾位置は、ほぼ一定の高さで横方向に一列に並ぶ結果となっている。即ち、所定の高さを維持するように固定されたソフトエアガンからＢＢ弾１２を発射した結果、所定の誤差範囲内で、標的画像１１５Ａ上の一定の高さとなるように着弾位置が算出されている。
【００９０】
これに対し、図１１のＢに示すように、筐体２１および背面板２３の間に20ｍｍの隙間が設けられた開放的な空間に音響センサ２７−１乃至２７−４が配置された状態では、全体的に着弾位置は上下方向にバラツキがある結果となっている。特に、標的画像１１５Ｂでは、４番目から２７番目までの着弾を検出することができた一方、左右端付近において着弾を正確に検出することができない結果、つまり、１番目から３番目、および２９番目から３３番目までの着弾を検出することができず、２８番目の着弾を誤検出した結果となっている。
【００９１】
例えば、標的システム１０１および１０１Ａでは、標的板２４の全面に亘って所定の間隔（例えば、１ｃｍ間隔）でＢＢ弾１２の射撃を繰り返し、その結果得られた測定データのデータベースを参照することにより、ＢＢ弾１２の着弾位置や着弾弾速を計測する演算が行われる。そのため、測定データを得るときの衝突音と、ＢＢ弾１２の着弾位置や着弾弾速を計測する際の衝突音とで、再現性を確保することが重要となる。従って、標的装置１１では、音響環境は定常的なものとなる閉鎖的な空間２９に音響センサ２７−１乃至２７−４を配置する構成とすることで、より良好な再現性を得ることができる。
【００９２】
以上のように、標的システム１０１および１０１Ａは、閉鎖的な空間２９に音響センサ２７−１乃至２７−４を配置する構成によって、開放的な空間に音響センサ２７−１乃至２７−４が配置された構成と比較して、着弾位置の測定精度を向上させることができる。同様に、着弾弾速についても、閉鎖的な空間２９に音響センサ２７−１乃至２７−４を配置する構成によって、測定精度を向上させることができる。
【００９３】
ところで、音速は気温に応じて変化することより、標的装置１１は、温度センサを備える構成とすることができる。この構成では、信号処理基板２８は、温度センサにより検出される温度情報に基づいて音速を補正し、その補正後の音速を用いて着弾点を算出することで、より高精度に着弾位置を求めることができる。ここで、標的装置１１が備える温度センサを、例えば、音響センサ２７−１乃至２７−４と同様に閉鎖的な空間２９に配置することで、空間２９内の音速を正確に用いることができ、音響センサ２７−１乃至２７−４により検出される衝撃音に基づいた着弾位置を正確に測定することができる。また、例えば、音響センサ２７−１乃至２７−４の感度が温度の影響を受ける場合には、温度センサにより検出される温度情報に基づいて音響センサ２７−１乃至２７−４の増幅度を補正することで、着弾位置や着弾速度、エネルギーなどの測定精度のさらなる向上を図ることができる。
【００９４】
なお、上述した本実施の形態では、標的装置１１において、標的板２４が垂直に対して傾斜するように固定されているが、標的板２４は必ずしも傾斜して固定されていなくてもよい。例えば、標的板２４を傾斜させることで、ＢＢ弾１２が下方に向かって反射され、ＢＢ弾１２を回収し易くすることができる。これに対し、例えば、標的板２４が垂直に固定されていても、標的板２４で反射したＢＢ弾１２が外部に飛び出ることがない程度に、筐体２１の前後方向の幅を十分に確保することで、ＢＢ弾１２を確実に回収することができる。さらに、本実施の形態では、４個の音響センサ２７−１乃至２７−４を用いた構成について説明したが、音響センサ２７の個数は４個に限定されるものではない。例えば、３個や６個、８個など、標的装置１１のサイズまたは形状に応じて、着弾位置などを適切に測定可能な個数の音響センサ２７を用いることができる。
【００９５】
なお、本明細書において、システムとは、複数の装置により構成される装置全体を表すものである。また、本発明の実施の形態は、上述した実施の形態に限定されるものではなく、本発明の要旨を逸脱しない範囲において種々の変更が可能である。
【００９６】
例えば、本発明は、ソフトエアガンにより発射されたＢＢ弾１２の標的となる標的システム１０１に限定されることはなく、標的に対して飛翔物体を当てる任意の競技や遊戯、具体的には、ダーツ、吹き矢などの標的システムに適用してもよい。この場合、ダーツや吹き矢が命中した命中位置を正確に検出することができ、着弾マークの代わりにダーツや吹き矢の矢を標的画像上の命中位置に表示すればよい。また、当然ながら、ＢＢ弾に代わるダーツや吹き矢の矢が標的板２４に刺さらないようにその先端を丸める必要がある。なお、このような飛翔物体を使用する場合には、捕集板２５に替えて、標的板２４で跳ね返った飛翔物体を捕集するためのカゴなどの捕集部を設けることができる。
【００９７】
さらに、標的板２４の強度を増せば、本発明は、トイガン（ソフトエアガン）よりも着弾時のエネルギーが強い実銃（空気銃等）の標的システムにも適用することも可能である。
【符号の説明】
【００９８】
１１  標的装置，  １２  ＢＢ弾，  １３  回収ケース，  ２１  筐体，  ２１ａ  上面板，  ２１ｂ  右側面板，  ２１ｃ  左側面板，  ２１ｄ  下面板，  ２２  前面板，  ２３  背面板，  ２４  標的板，  ２５  捕集板，  ２６  排出口ノズル，  ２７  音響センサ，  ２８  信号処理基板，  ３１  板部材，  ３２および３３  衝撃吸収材，  ３４  開口部
【図１】
2019158335.tif 000003
【図２】
2019158335.tif 000004
【図３】
2019158335.tif 000005
【図４】
2019158335.tif 000006
【図５】
2019158335.tif 000007
【図６】
2019158335.tif 000008
【図７】
2019158335.tif 000009
【図８】
2019158335.tif 000010
【図９】
2019158335.tif 000011
【図１０】
2019158335.tif 000012
【図１１】
2019158335.tif 000013